(57)【要約】【課題】使用者を効率的に仮眠させることができる快適環境を実現する仮眠システムを提供する。【解決手段】仮眠システム１は、使用者が仮眠する際に着座する仮眠シート２と、使用者が着座する対象空間に送風する送風装置３と、対象空間を照明する入眠用照明装置４と、送風装置３の気流の風速の強弱を第１ゆらぎで制御するとともに、入眠用照明装置４の光の照度の強弱を第２ゆらぎで制御する制御部とを有する。制御部は、対象空間において第１ゆらぎと第２ゆらぎを同期させるように送風装置３と入眠用照明装置４を制御する。【選択図】図２
2020046122.tif 000002
【特許請求の範囲】
【請求項１】
使用者が仮眠する際に着座する仮眠シートと、
前記使用者が着座する対象空間に送風する送風装置と、
前記対象空間を照明する照明装置と、
前記送風装置の気流の風速の強弱を第１ゆらぎで制御するとともに、前記照明装置の光の照度の強弱を第２ゆらぎで制御する制御部と、
を有し、
前記制御部は、前記対象空間において前記第１ゆらぎと前記第２ゆらぎを同期させるように前記送風装置と前記照明装置を制御することを特徴とする仮眠システム。
【請求項２】
前記第１ゆらぎは、気流の風速の強弱を周期的に繰り返すゆらぎであり、
前記第２ゆらぎは、光の照度の強弱を周期的に繰り返すゆらぎであることを特徴とした請求項１に記載の仮眠システム。
【請求項３】
前記制御部は、前記送風装置を前記第１ゆらぎで制御する第１出力信号のうち、気流の風速が最大となる出力信号の出力タイミングと、前記照明装置を前記第２ゆらぎで制御する第２出力信号のうち、照度が最大となる出力信号の出力タイミングとの間に、気流が前記送風装置から前記仮眠シートに至る経路長と前記送風装置から送風される気流の風速とに基づいた時間差を設けることを特徴とする請求項２に記載の仮眠システム。
【発明の詳細な説明】
【技術分野】
【０００１】
本発明は、送風装置と照明装置を備えた仮眠システムに関し、特に風速が時系列で変化するゆらぎ気流を放出する送風装置と照度が時系列で変化するゆらぎ照明を行う照明装置を備えた仮眠システムに関するものである。
【背景技術】
【０００２】
ここ数年、働き方改革の流れに沿って職場環境がより働きやすいものになるよう見直しをしようというトレンドがあり、その一環として仮眠室にも注目が集まっている。仮眠室とは業務従事者が日中に短時間の仮眠を取るための空間であり、仮眠を取ることにより眠気を低減し、業務効率を向上することができると言われている。
【０００３】
仮眠室としては、単に寝るための空間が用意されているだけのものが一般的であるが、より効率的に仮眠がとれるようにするために、仮眠室内の照明および気流を適切に制御することにより、使用者の視覚および触覚を刺激して入眠と起床を快適化するということも検討されている。
【０００４】
室内環境を快適化する方法としては、例えば、照明が明るいときに気流の送風量を大きくし、照明が暗いときは気流の送風量を小さく出力する方法が知られている（例えば、特許文献１）。
【先行技術文献】
【特許文献】
【０００５】
【特許文献１】特開平３−５５６０７号公報
【発明の概要】
【発明が解決しようとする課題】
【０００６】
従来の快適化方法では、送風装置に入力する信号（１／ｆゆらぎ送風のための信号）と照明装置に入力する信号（１／ｆゆらぎ照明のための信号）とが同期した構成になっている。しかしながら、こうした構成は、室内全体を想定したものであり、室内の局所空間（例えば、仮眠のために使用者が着座する空間）では、使用者が受ける知覚（視覚、触覚）に対して必ずしも意図した同期が実現できていない。このため、仮眠時（特に入眠時）に使用者の視覚、触覚への刺激がばらばらに提供され、使用者を効率的に仮眠させることができる快適環境を実現することができないという課題があった。
【０００７】
そこで本発明は、上記の従来の課題を解決するものであり、使用者を効率的に仮眠させることができる快適環境を実現する仮眠システムを提供することを目的とする。
【課題を解決するための手段】
【０００８】
そして、この目的を達成するために、本発明に係る仮眠システムは、使用者が仮眠する際に着座する仮眠シートと、使用者が着座する対象空間に送風する送風装置と、対象空間を照明する照明装置と、送風装置の気流の風速の強弱を第１ゆらぎで制御するとともに、照明装置の光の照度の強弱を第２ゆらぎで制御する制御部と、を有する。制御部は、対象空間において第１ゆらぎと第２ゆらぎを同期させるように送風装置と照明装置を制御することを特徴とするものである。
【発明の効果】
【０００９】
本発明によれば、使用者を効率的に仮眠させることができる快適環境を実現する仮眠システムを提供することができる。
【図面の簡単な説明】
【００１０】
【図１】図１は、本発明の実施の形態１に係る仮眠システムの概略斜視図である。
【図２】図２は、同仮眠システムの模式図である。
【図３】図３は、同仮眠システムを構成する送風装置の模式図である。
【図４】図４は、送風装置の風速の時間変化および照明装置の照度の時間変化を示す図である。
【発明を実施するための形態】
【００１１】
本発明に係る仮眠システムは、使用者が仮眠する際に着座する仮眠シートと、使用者が着座する対象空間に送風する送風装置と、対象空間を照明する照明装置と、送風装置の気流の風速の強弱を第１ゆらぎで制御するとともに、照明装置の光の照度の強弱を第２ゆらぎで制御する制御部と、を有する。制御部は、対象空間において第１ゆらぎと第２ゆらぎを同期させるように送風装置と照明装置を制御することを特徴とするものである。
【００１２】
こうした構成によれば、対象空間（使用者が仮眠シートに着座する着座空間）において送風装置の気流の風速の強弱と照明装置の照度の強弱とを同期させることができる。このため、対象空間において使用者が受ける知覚（視覚、触覚）に対して、使用者の視覚と触覚への刺激のピークが同期し、使用者の気分を落ち着かせ、効率よく仮眠させることができる。すなわち、使用者を効率的に仮眠させることができる快適環境を実現することができる。
【００１３】
また、第１ゆらぎは、気流の風速の強弱を周期的に繰り返すゆらぎであり、第２ゆらぎは、光の照度の強弱を周期的に繰り返すゆらぎである構成としてもよい。
【００１４】
こうした構成によれば、送風の周期的なゆらぎは、周期的でない不規則なゆらぎよりも予測しやすい単調なパターンなので、使用者の意識を向けさせることがなく、気分を落ち着かせることができる。また、照度の周期的なゆらぎは、視覚な明暗を繰り返すことになり、使用者の入眠を誘いやすくすることができる。このため、使用者を効率的に仮眠させることができる快適環境を実現することができる。
【００１５】
また、制御部は、送風装置を第１ゆらぎで制御する第１出力信号のうち、気流の風速が最大となる出力信号の出力タイミングと、照明装置を第２ゆらぎで制御する第２出力信号のうち、照度が最大となる出力信号の出力タイミングとの間に、気流が送風装置から仮眠シートに至る経路長と送風装置から送風される気流の風速とに基づいた時間差を設ける構成としてもよい。
【００１６】
こうした構成によれば、対象空間において使用者が受ける知覚（視覚、触覚）に対して、使用者が最も強く刺激を受けるタイミングが同期するので、より効果的に使用者の気分を落ち着かせ、仮眠させることができる。
【００１７】
以下、本発明の実施の形態について図面を参照しながら説明する。ただし、以下に示す実施の形態は、本発明の技術思想を具体化するための仮眠システムを例示するものであって、本発明は仮眠システムを以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１８】
（実施の形態１）
まず、図１〜図３を参照して、本実施の形態１に係る仮眠システム１の概略構成について説明する。図１は、本発明の実施の形態１に係る仮眠システム１の概略斜視図である。図２は、同仮眠システム１の模式図である。図３は、同仮眠システム１を構成する送風装置の模式図である。なお、図１では、手前側の壁を図示していないが、仮眠システム１は、閉空間となる小部屋である仮眠室Ｒに設置されている。
【００１９】
図１に示すように、仮眠システム１は、仮眠シート２、送風装置３、入眠用照明装置４、起床用照明装置５、及び音響装置６を備える。送風装置３、入眠用照明装置４、起床用照明装置５、及び音響装置６の各装置は、タブレット７と接続されたコントローラー８（図１に図示なし）と接続されている。これにより、使用者はタブレット７の画面を操作することにより、仮眠室Ｒに設置された各装置に対して一括して運転の指示を出すことができる。
【００２０】
仮眠シート２は、仮眠システム１を使用する使用者が着座して仮眠するためのシートである。仮眠シート２は、仮眠室Ｒの床面の所定の位置に設置されている。具体的には、仮眠シート２は、図２に示すように、使用者が着座可能な座部２ａと、座部２ａの後部に設けられて傾倒可能な背もたれ部２ｂと、座部２ａの前部に設けられて傾倒可能な足置き部２ｃと、座部２ａの下部に設けられて仮眠シート２全体を支持する脚部２ｄとを有する。
【００２１】
送風装置３は、仮眠システム１を使用する使用者が着座する対象空間に送風する装置である。送風装置３は、仮眠室Ｒの天井面に設置されている。具体的には、送風装置３は、図３に示すように、室内の空気を吸い込む吸込口１４と、吸込口１４から吸い込んだ空気を室内に吹き出す吹出口１８とを有する。より詳細には、送風装置３は、吸込口１４が設けられたケーシング１３と、吹出口１８が設けられた吹出部材１６と、ケーシング１３と吹出部材１６とを連通するダクト１５とを有して構成される。
【００２２】
ケーシング１３は、気流を送り出す送風機としてのファン１０と、ファン１０を駆動するためのモーター１１と、モーター１１の運転を制御する制御部としてのマイクロコンピュータ１２とを有して構成される。ケーシング１３は、吸込口１４から吸い込まれた空気の風路として機能し、吸込口１４から吸い込まれた空気をダクト１５に送り出す。マイクロコンピュータ１２は、コントローラー８と有線で接続され、タブレット７の画面での使用者の指示を受け付けてモーター１１の運転を制御する。なお、マイクロコンピュータ１２とコントローラー８とは、無線で接続するようにしてもよい。
【００２３】
ダクト１５は、ケーシング１３と吹出部材１６との間に長さＬ２［ｍ］で延設され、吸込口１４と吹出口１８との間を所定の間隔離すために形成されている。ダクト１５は、ケーシング１３と吹出部材１６との間の風路を構成し、ケーシング１３から送り出された空気をそのまま吹出部材１６に送り出す。
【００２４】
吹出部材１６は、内部にチャンバー空間１７を有して構成されている。ダクト１５から送り出された空気は、このチャンバー空間１７を通って吹出口１８から仮眠室Ｒ内に吹き出される。
【００２５】
以上のように、送風装置３は、マイクロコンピュータ１２の指示を受けてモーター１１が回転すると、吸込口１４から仮眠室Ｒ内の空気を吸い込み、吹出口１８から再び仮眠室Ｒの使用者の着座空間に吹き出すように構成されている。
【００２６】
次に、送風装置３の仮眠室Ｒ内での設置場所について説明する。
【００２７】
図２に示すように、仮眠室Ｒ内の所定の位置（例えば、中央部分）に仮眠シート２が設置されている。また、送風装置３は、上記した通り、仮眠室Ｒの天井面に設置されているが、送風装置３の吹出口１８と吸込口１４とは、仮眠シート２に対して所定の位置に配置されている。ここで、仮眠シート２の座部２ａと背もたれ部２ｂとの境界部を仮眠シート２の基準点Ｐと規定する。
【００２８】
送風装置３の吹出口１８は、仮眠シート２の基準点Ｐに対して前方に位置する仮眠室Ｒの天井面に設置されている。仮眠シート２の基準点Pと送風装置３の吹出口１８との間には、距離Ｌ１［ｍ］を有している。吹出口１８は、吸込口１４から吸い込んだ空気を仮眠シート２の使用者の着座空間（基準点Pの位置）に対して風速Ｖ［ｍ／ｓ］で吹き出すように吹き出し方向が制御されている。一方、送風装置３の吸込口１４は、仮眠シート２の基準点Ｐに対して後方に位置する仮眠室Ｒの天井面に設置されている。すなわち、吹出口１８と吸込口１４とは、仮眠シート２に対して前後の位置に設置されている。
【００２９】
こうした配置とすることにより、送風装置３は、吹出口１８から吹き降ろした空気が背もたれ部２ｂに沿って仮眠シート２の後方に流れ、吸込口１４から吸い上げられるように気流の流れを制御している。
【００３０】
次に、図１に示すように、入眠用照明装置４は、仮眠室Ｒの床面に設置され、仮眠シート２の左右前方に１台設置されている。入眠用照明装置４は、小型の球体状の照明装置であり、コントローラー８（図示せず）と有線で接続されている。入眠用照明装置４は、タブレット７の画面での使用者の指示を受け付けて動作する。
【００３１】
起床用照明装置５は、仮眠室Ｒの前方の壁面に埋設されている。起床用照明装置５は、１辺が約６０ｃｍの正方形の照明装置であり、コントローラー８（図示せず）と有線で接続されている。具体的には、起床用照明装置５は、ＬＥＤ電灯を複数積載して接続し、仮眠室Ｒ側の面を乳白色のプラスチックで覆った構成とした照明装置である。起床用照明装置５は、タブレット７の画面での使用者の指示を受け付けて動作する。
【００３２】
音響装置６は、仮眠室Ｒの天井面の所定の位置（仮眠シート２の左右前方および左右後方）に複数設けられている。音響装置６は、入眠時には落ち着きのある音楽を提供し、起床時には軽快な音楽を提供するように制御される。音響装置６は、コントローラー８（図示せず）と有線で接続され、タブレット７の画面での使用者の指示を受け付けて動作する。
【００３３】
タブレット７は、仮眠室Ｒの床面から所定の高さの位置であって、仮眠シート２に着座する使用者から容易に届く位置に設置されている。タブレット７は、コントローラー８（図示せず）と有線で接続されている。上記した通り、使用者はタブレット７の画面を操作することにより、仮眠室Ｒに設置された各装置（送風装置３、入眠用照明装置４、起床用照明装置５、音響装置６）に対して一括して運転の指示を出すことができる。
【００３４】
コントローラー８は、タブレット７からの指示に基づき、各装置（送風装置３、入眠用照明装置４、起床用照明装置５、音響装置６）の仮眠制御を実行させる。コントローラー８は、各装置の制御プログラムを記憶しており、内蔵タイマーを用いて開始からの時間を測り、各装置にそれぞれ適切なタイミングで運転の指示を行う。また、コントローラー８は、ダクト１５の長さ情報（長さＬ２）と、送風装置３の吹出口１８と仮眠シート２の基準点Ｐとの間の距離情報（距離Ｌ１）を記憶している。
【００３５】
次に、図４を参照して、本実施の形態１に係る仮眠システム１の仮眠制御について説明する。図４は、送風装置３の風速の時間変化および照明装置（入眠用照明装置４、起床用照明装置５）の照度の時間変化を示す図である。ここで、図４の上段は、送風装置３の風速の時間変化を示しており、横軸が時間、縦軸が吹出口１８から吹き出す際の風速である。図４の下段は、照明装置（入眠用照明装置４、起床用照明装置５）の照度の時間変化を示しており、横軸が時間、縦軸が各照明装置の照度である。
【００３６】
図４に示すように、仮眠システム１における一連の仮眠制御（入眠から起床までの装置制御）は、入眠モード、睡眠モード、起床モードの３モードをこの順に実行する制御となっている。
【００３７】
入眠モードは、使用者に対して入眠を促すモードであり、３分〜１０分の範囲で時間設定されるモードである。
【００３８】
睡眠モードは、使用者が比較的浅い睡眠状態を維持して仮眠するモードであり、１５分から２０分の範囲で時間設定される。一般的に、仮眠では比較的浅い睡眠状態である睡眠ステージ２の状態を数分維持することが疲労回復や眠気低減によいとされているが、逆に比較的不快睡眠状態である睡眠ステージ３の状態になると睡眠慣性が働き、寝起きが悪くなると言われている。睡眠ステージ３が出現しないうちに起床させるために、仮眠の睡眠時間は１５〜２０分程度がよいと言われており、睡眠モードの時間はこれを考慮して決めている。なお、睡眠ステージ２と睡眠ステージ３は、ノンレム睡眠を浅い睡眠から深い睡眠まで４段階に規定したものである。
【００３９】
起床モードは、使用者に対して浅い睡眠状態からの起床を促すモードであり、１分〜３分の範囲で時間設定される。
【００４０】
仮眠システム１における仮眠制御では、３つのモードごとに各装置（送風装置３、入眠用照明装置４、起床用照明装置５）の制御内容を設定している。
【００４１】
入眠モードでは、送風装置３は、入眠用の気流を吹出口１８から吹き出し、仮眠シート２に着座する使用者に向けて送風する。入眠用の気流は、極力刺激感がないことが求められるため、風速が小さい周期的なゆらぎ（第１ゆらぎ）を有する気流としている。第１ゆらぎは、規則的なゆらぎともいえる。入眠用の気流の風速は、最も大きいところでも気流感がないように最大で０．４ｍ／ｓとし、ゆらぎ周期は、せわしさあるいは間延び感のない１０〜５０秒周期の範囲としている。すなわち、送風装置３は、入眠モードにおいて、送風装置３の気流の風速の強弱を第１ゆらぎで制御している。ここで、周期的なゆらぎは、周期的でない不規則なゆらぎよりも予測しやすい単調なパターンなので、使用者の意識を向けさせることがなく、気分を落ち着かせることができる。
【００４２】
また、入眠モードでは、照明装置は、入眠用照明装置４が動作し、起床用照明装置５は動作しないように制御される。入眠用照明装置４は、使用者が着座する対象空間を所定の照度で照らす。入眠用の照度は、使用者の入眠を快適に誘うために、照度が小さい周期的なゆらぎ（第２ゆらぎ）を有する照度としている。第２ゆらぎは、規則的なゆらぎともいえる。すなわち、入眠用照明装置４は、入眠モードにおいて、入眠用照明装置４の照度の強弱を第２ゆらぎで制御している。入眠用の照度のゆらぎ周期は、１０〜５０秒周期の範囲であり、送風装置３と同じゆらぎ周期としている。ここで、照度の周期的なゆらぎは、視覚な明暗を繰り返すことになり、使用者の入眠を誘いやすくすることができる。なお、入眠用照明装置４で照明する際には、照度に加え、色温度も連動して制御するようにしてもよい。
【００４３】
睡眠モードでは、送風装置３は、吹出口１８からの吹き出しを停止し、使用者に余計な刺激を与えないようにしている。気流が当たって気持ちよく感じるのは心理的な影響が大きく、暑熱状態を除いて生理的な影響は小さい。このため、仮眠中に気流を送っても心理的な効果は期待できないことから、仮眠中は気流を停止し、なるべく睡眠を阻害しないようにしている。なお、吹出口１８からの吹き出しを継続する場合であっても、人が知覚（触覚）できないほど小さい風速であればよい。
【００４４】
また、睡眠モードでは、入眠用照明装置４および起床用照明装置５の動作も送風装置３と同様に停止される。
【００４５】
起床モードでは、送風装置３は、起床用の気流を吹出口１８から吹き出し、仮眠シート２に着座する使用者に向けて送風する。起床用の気流は、適度な刺激感があることが求められるため、風速が急激に大きくなる気流としている。起床用の気流の風速は、入眠用の気流の風速よりも強い刺激が与えられるように最低で１．０ｍ／ｓ以上とし、送風開始から約１分で最大風速となるようにしている。ここで、起床時においては刺激を与えれば使用者を覚醒させることは可能であるが、目覚まし時計のアラーム音のように強い刺激により無理やり起こされる場合、使用者に不快を感じさせてしまうことになる。起床時の刺激をなるべく快適にするために、約１分の時間をかけて送風による刺激が徐々に強くなっていくようにしている。
【００４６】
また、起床モードでは、照明装置は、起床用照明装置５が動作し、入眠用照明装置４は動作しないように制御される。起床用照明装置５は、仮眠室Ｒの前面から使用者が着座する対象空間を所定の照度で照らす。起床用の照度は、適度な刺激感があることが求められるため、照度が急激に大きくなるようにし、送風装置３と同じく、照明開始から約１分で最大照度となるようにしている。
【００４７】
本実施の形態１に係る仮眠システム１では、使用者が着座する対象空間において送風装置３の風速の強弱のゆらぎ（第１ゆらぎ）と入眠用照明装置４の照度の強弱のゆらぎ（第２ゆらぎ）とを同期させるように制御している。具体的には、仮眠システム１では、送風装置３を第１ゆらぎで制御する第１出力信号のうち、気流の風速が最大となる出力信号の出力タイミングと、入眠用照明装置４を第２ゆらぎで制御する第２出力信号のうち、照度が最大となる出力信号の出力タイミングとの間に、所定の時間差を設けるように制御している。なお、第１出力信号は、図４の上段に示す入眠モードでの出力信号であり、第２出力信号は、図４の下段に示す入眠モードでの出力信号である。
【００４８】
次に、所定の時間差について、図２を参照して説明する。
【００４９】
図２に示すように、送風装置３の吹出口１８から吹き出される気流の経路長は、吹出口１８から仮眠シート２の基準点Ｐまでの距離Ｌ１［ｍ］とダクト１５の長さＬ２［ｍ］とを合算した経路長Ｌ［ｍ］に相当する。また、吹出口１８から吹き出される気流の風速が風速Ｖ［ｍ／ｓ］であるとする。したがって、気流が使用者（仮眠シート２の基準点Ｐの位置）に届くまでの時間Ｔ［ｓ］は、距離と速度と時間の関係（時間＝距離／速度）に基づき、経路長Ｌ／風速Ｖにより算出される。すなわち、送風装置３では、送風開始（第１出力信号の出力タイミング）から時間Ｔだけ遅れて使用者が知覚（触覚）することになる。本実施の形態１では、距離Ｌ１が約１．６ｍであり、長さＬ２が約１．２ｍであるので、経路長Ｌは約２．８ｍとなる。気流の最大の風速Ｖが約０．４ｍ／ｓであるので、気流が送風されてから基準点Ｐの位置に到達するのに約７秒要することになる。
【００５０】
本実施の形態１に係る仮眠システム１では、第１ゆらぎのゆらぎ周期の中で、風速が最大である気流が送風されてから基準点Ｐの位置に到達するのに要する時間Ｔを時間差として設定している。つまり、仮眠システム１では、図４に示すように、送風装置３の第１出力信号の出力タイミングに対して、時間Ｔだけ経過した後、入眠用照明装置４の第２出力信号を出力するように制御している。これにより、対象空間において使用者が受ける知覚（視覚、触覚）に対して、使用者が最も強く刺激を受けるタイミングを同期させることができる。
【００５１】
以上、本実施の形態１に係る仮眠システム１によれば、対象空間（使用者が仮眠シート２に着座する着座空間）において使用者が受ける知覚（視覚、触覚）に対して、使用者の視覚と触覚への刺激のピークが同期し、使用者の気分を落ち着かせ、効率よく仮眠させることができる。すなわち、使用者を効率的に仮眠させることができる快適環境を実現することができる。
【００５２】
以上、本発明に関して実施の形態１をもとに説明した。これらの実施の形態１は例示であり、それらの各構成要素や各処理プロセスの組合せにいろいろな変形例が可能なこと、またそうした変形例も本発明の範囲にあることは当業者に理解されるところである。
【００５３】
本実施の形態１では、送風装置３の第１出力信号の出力タイミングに対して、時間Ｔだけ経過した後、入眠用照明装置４の第２出力信号を出力するように制御したが、これに限られない。例えば、入眠用照明装置４の第２出力信号の出力後に、第２出力信号の出力値が最低となるタイミングに対して、時間Ｔだけ前に、送風装置３の第１出力信号を出力するように制御してもよい。これにより、仮眠システム１での仮眠制御パターンの自由度を向上させることができる。
【００５４】
また、本実施の形態１では、入眠モードでの仮眠制御としたが、起床モードにおいても同様の制御を行ってもよい。
【産業上の利用可能性】
【００５５】
以上のように、本発明に係る仮眠システムは、仮眠時に適した照明および気流等を制御することにより使用者に快適な室内環境を提供することを可能とするものである。このため、記載の仮眠室だけでなく短時間の休息を必要とする会社の個人デスク、学校、塾等の机、車内空間または２４時間稼働する医療・介護施設、工場、空港のラウンジ、高速道路のサービスエリア等、幅広い分野にて有用である。さらに、本システムは、仮眠時に留まらずホテルまたは住宅の寝室等、本睡眠を目的とした空間でも有用である。
【符号の説明】
【００５６】
１    仮眠システム
２    仮眠シート
２ａ    座部
２ｂ    背もたれ部
２ｃ    足置き部
２ｄ    脚部
３    送風装置
４    入眠用照明装置
５    起床用照明装置
６    音響装置
７    タブレット
８    コントローラー
１０    ファン
１１    モーター
１２    マイクロコンピュータ
１３    ケーシング
１４    吸込口
１５    ダクト
１６    吹出部材
１７    チャンバー空間
１８    吹出口
【図１】
2020046122.tif 000003
【図２】
2020046122.tif 000004
【図３】
2020046122.tif 000005
【図４】
2020046122.tif 000006